(57)【特許請求の範囲】
【請求項１】
各種サイトのコンテンツにおける広告スペースに、所定の広告バナーを貼り付けて、ユーザの携帯端末に、当該コンテンツを配信するために必要な処理を実行する広告配信管理サーバであって、
少なくとも当該広告の画像データまたはテキストデータと当該広告を配信すべきユーザの属性とを受理して、広告の登録をする広告登録手段と、
前記広告登録手段により、前記広告の画像データまたはテキストデータと前記ユーザ属性とを関連付けて記憶するバナーライブラリと、
ユーザの携帯端末を特定する情報およびユーザの消費傾向を示す情報であるユーザ属性を受け入れて、当該ユーザ固有のＵＲＬである固有ＵＲＬを付与し、当該固有ＵＲＬを前記ユーザの携帯端末に伝達して、当該ＵＲＬをブラウザ起動時にアクセスすべきアドレスとして登録すべきことを促すユーザ登録手段と、
前記ユーザ属性と前記固有ＵＲＬとを関連付けて記憶するユーザデータベースと、
前記固有ＵＲＬによるアクセスがあった場合に、前記固有ＵＲＬに対応するデフォルトページであって、前記コンテンツのメニューを含むデフォルトページを、前記ユーザの携帯端末に伝達するとともに、前記コンテンツのうちの何れかを選択する情報を、前記ユーザの携帯端末から受理することに応答して、前記コンテンツにアクセスするユーザ受付手段と、
前記コンテンツを選択する情報を受理した場合に、前記ユーザデータベースを参照して、前記固有ＵＲＬに対応するユーザ属性を特定し、当該特定されたユーザ属性に合致する広告バナーを、前記バナーライブラリから抽出するバナー抽出手段と、
取得したコンテンツの広告スペースに、抽出された広告バナーを貼り付けて、前記ユーザの携帯端末に送信するページ合成手段とを備えたことを特徴とする広告配信管理サーバ。
【請求項２】
前記バナー抽出手段が、
前記バナーライブラリに記憶された広告バナーに関連したユーザ属性と、前記ユーザの携帯端末に関連したユーザ属性とを比較し、その一致度の高い広告バナーを選択するように構成されたことを特徴とする請求項１に記載の広告配信管理サーバ。
【請求項３】
前記ユーザ登録手段が、前記固有ＵＲＬの付与の際に、デフォルトページとして表示すべき１以上のサイトを提示して、携帯端末のユーザに所望のサイトの選択を促すように構成され、
前記バナー抽出手段が、前記固有のＵＲＬによるアクセスがあった場合に、当該選択されたサイトへアクセスするとともに、対応するユーザ属性を参照して、当該ユーザ属性に合致する広告バナーを、前記バナーライブラリから抽出するように構成され、
前記ページ合成手段が、選択サイトから伝達されたコンテンツの広告スペースに広告バナーを貼り付けて、前記ユーザの携帯端末に送信するように構成されたことを特徴とする請求項１に記載の広告配信管理サーバ。
【請求項４】
前記広告登録手段が、前記広告の登録の際に、配信期間および／または配信回数に関する情報を受理して、これらを関連付けてバナーライブラリに記憶するように構成され、
前記バナー抽出手段が、前記配信期間および配信回数を考慮して、広告バナーを抽出するように構成されたことを特徴とする請求項１ないし３の何れか一項に記載の広告配信管理サーバ。
【発明の詳細な説明】
【０００１】
【産業上の技術分野】
本発明は、インターネット上のサイトに配信すべき広告を最適化する手法に関する。
【０００２】
【従来の技術】
インターネットの普及により、種々のサイトが誕生し、ユーザは自己の嗜好にしたがって、所望のサイトを閲覧できるようになっている。これらサイトにおいては、スポンサーによる広告バナーのアンカーが設けられている。ユーザは、自己が知りたい情報や購入したい商品の広告バナーをクリックすることにより、リンクされたサイトにアクセスでき、これにより、所望の情報等を入手することが可能となっている。
【０００３】
ユーザにおいては、その属性（たとえば、所属する年齢層、性別、居住地域など）や嗜好によって、興味を持つ情報や商品に大きな隔たりがあるため、サイトによって、ヒット率の高い広告バナーは大きく異なる。したがって、ユーザの嗜好に合致した広告バナーを配信するのが望ましい。このようにユーザの嗜好に合致した広告バナーを配信するために、サイトにおいてユーザ登録をして、ユーザの属性を入力させている。それ以後のアクセスの際には、クッキー（Ｃｏｏｋｉｅ）を利用してユーザを特定することにより、ユーザ属性に合致した広告を配信することが実用化されている。
【０００４】
【発明が解決しようとする課題】
ところで、近年、携帯電話やＰＤＡなどの携帯端末によるインターネットによるアクセスが可能となり、非常に多くのユーザを獲得している。しかしながら、ｉ−ｍｏｄｅ（登録商標）、ＥＺｗｅｂ（登録商標）、Ｊｓｋｙ（商標）ｗｅｂを利用したインターネットにおいては、データ量を小さくするためにクッキーを利用することができない。
したがって、携帯電話がサイトにアクセスした場合に、簡易な手法でユーザを認証することができず、その結果、広告配信を適切に実現できないという問題点があった。
【０００５】
本発明は、携帯端末によるアクセスの際に、ユーザの嗜好に合致した広告を配信するための手法を提供することを目的とする。
【０００６】
【課題を解決するための手段】
本発明の目的は、各種サイトのコンテンツにおける広告スペースに、所定の広告バナーを貼り付けて、ユーザの携帯端末に、当該コンテンツを配信する広告配信方法であって、広告の登録の際に、少なくとも当該広告の画像データまたはテキストデータと当該広告を配信すべきユーザの属性とを受理して、これらを関連付けてバナーディレクトリに記憶するステップと、ユーザの携帯端末からの登録の際に、ユーザ属性を受け入れるステップと、当該ユーザ固有のＵＲＬである固有ＵＲＬを付与するステップと、前記ユーザ属性と固有ＵＲＬとを関連付けて記憶するステップと、前記固有ＵＲＬを、前記ユーザの携帯端末に伝達するステップと、当該固有ＵＲＬを、ユーザの携帯端末のブラウザの起動時にアクセスすべきアドレスとして登録することを、ユーザの携帯端末に促すステップと、前記固有ＵＲＬによるアクセスがあった場合に、対応するユーザ属性を参照して、当該ユーザ属性に合致する広告バナーを、前記バナーディレクトリから抽出して、コンテンツの広告スペースに貼り付けて、前記ユーザの携帯端末に送信するステップとを備えたことを特徴とする広告配信方法により達成される。
【０００７】
本発明によれば、ユーザ登録時に、携帯端末のユーザの属性を記憶するとともに、携帯端末に対して、固有ＵＲＬを伝達し、これを携帯端末のブラウザの起動時にアクセスするアドレスとして登録させる。したがって、アクセス時に固有ＵＲＬにより、携帯端末のユーザを特定することが可能となる。これにより、登録されたユーザ属性を参照して適切な広告を選択することができる。
【０００８】
本発明の好ましい実施態様においては、固有ＵＲＬによるアクセスがあった場合に、固有ＵＲＬに対応するデフォルトページであって、コンテンツのメニューを含むデフォルトページを、ユーザの携帯端末に伝達するステップと、コンテンツのうちの何れかを選択する情報を、ユーザの携帯端末から受理することに応答して、コンテンツにアクセスするとともに、取得したコンテンツの広告スペースに、抽出された広告バナーを貼り付けるステップとを有する。
この実施態様によれば、ユーザの携帯端末が、デフォルトページに含まれるメニューから所望のコンテンツを選択すると、当該コンテンツに所定の広告が貼り付けられた形式の画像を、ユーザの携帯端末に供給することが可能となる。
【０００９】
本発明のさらに好ましい実施態様においては、広告バナーの抽出が、バナーディレクトリに記憶された広告バナーに関連したユーザ属性と、ユーザの携帯端末に関連したユーザ属性とを比較し、その一致度の高い広告バナーを選択するように構成されている。
【００１０】
本発明の別の実施態様によれば、広告配信方法は、固有ＵＲＬの付与の際に、デフォルトページとして表示すべき１以上のサイトを提示して、携帯端末のユーザに所望のサイトの選択を促すステップと、固有のＵＲＬによるアクセスがあった場合に、当該選択されたサイトへアクセスするとともに、対応するユーザ属性を参照して、当該ユーザ属性に合致する広告バナーを、バナーディレクトリから抽出して、選択サイトから伝達されたコンテンツの広告スペースに貼り付けて、ユーザの携帯端末に送信するステップとを備えている。
これにより、デフォルトページをユーザの携帯端末に伝達することを省略して、コンテンツにアクセスし、かつ、適切な広告が貼り付けられたコンテンツをユーザの携帯端末に供給することが可能となる。
【００１１】
本発明のさらに好ましい実施態様においては、広告の登録の際に、配信期間および／または配信回数に関する情報を受理して、これらを関連付けてバナーディレクトリに記憶し、配信期間および配信回数を考慮して、広告バナーが抽出されるように構成されている。これにより、広告キャンペーンなどに基づく出稿計画にしたがって、適切に広告を配信することが可能となる。
また、本発明の目的は、各種サイトのコンテンツにおける広告スペースに、所定の広告バナーを貼り付けて、ユーザの携帯端末に、当該コンテンツを配信するために必要な処理を実行する広告配信管理サーバであって、少なくとも当該広告の画像データおよび当該広告を配信すべきユーザの属性を受理して、広告の登録をする広告登録手段と、前記広告の画像データまたはテキストデータとユーザ属性とを関連付けて記憶するバナーディレクトリと、ユーザの携帯端末を特定する情報およびユーザ属性を受け入れて、当該ユーザ固有のＵＲＬである固有ＵＲＬを付与し、当該固有ＵＲＬを前記ユーザの携帯端末に伝達して、当該ＵＲＬをブラウザ起動時にアクセスすべきアドレスとして登録すべきことを促すユーザ登録手段と、前記ユーザ属性と固有ＵＲＬとを関連付けて記憶するユーザデータベースと、前記ユーザの携帯端末から前記固有ＵＲＬによるアクセスがあった場合に、対応するユーザ属性を参照して、当該ユーザ属性に合致する広告バナーを、前記バナーディレクトリから抽出するバナー抽出手段と、コンテンツの広告スペースに、抽出された広告バナーを貼り付けて、前記ユーザの携帯端末に送信するページ合成手段とを備えたことを特徴とする広告配信管理サーバにより達成される。
【００１２】
【発明の実施の形態】
以下、添付図面を参照して、本発明の実施の形態につき説明を加える。図１は、本発明の実施の形態にかかる広告配信システムの概略構成を示すブロックダイヤグラムである。図１に示すように、この実施の形態にかかる広告配信システムにおいては、インターネットとの接続が可能な携帯電話やＰＤＡなどの携帯端末１２−１、１２−２、・・・、１２−ｎに、広告を適切に配信するために、配信管理サーバ１４が設けられている。インターネット１６には、配信管理サーバ１４のほか、携帯端末１２をインターネット１６に接続させるための電話サービスサーバ１８と、インターネット広告代理店（レップ）に設けられたサーバ（レップサーバ２０）と、各種コンテンツプロバイダなどののサイト２２−１、２２−２、・・・、２２−ｍとが接続されている。
サイト２２は、コンテンツのページ中に、広告バナーを貼り付けるスペース（広告スペース）を有し、広告スペースを、企業（広告主）に販売している。
【００１３】
これに対して、レップにおいては、広告代理店２８に依頼された各種企業２６−１、２６−２、・・・からの広告に関する種々の情報が与えられている。したがって、レップでは、上記広告スペースの購入を計画している。広告代理店２８から与えられた広告に関する情報には、たとえば、広告期間、広告を配信すべきユーザの属性などが含まれる。
【００１４】
本実施の形態にかかる配信管理サーバ１４は、広告スペースを販売したいサイト２２と、広告スペースを購入したいレップサーバ２０（企業側）を結び付け、携帯電話やＰＤＡなどの携帯端末のユーザに、適切に広告を配信するように機能する。
これを実現するために、本発明にかかる配信管理サーバ１４においては、
（１）サイト２２からのサイトの登録
（２）レップサーバ２０からの広告、および、付随する情報の登録
（３）携帯端末のユーザの登録
をまず実行した上で、
（４）携帯端末に適切な広告を配信するようになっている。
【００１５】
図２は、本実施の形態にかかる配信管理サーバ１４の構成を示すブロックダイヤグラムである。図２に示すように、配信管理サーバ１４は、インターネット１６との通信を制御するインタフェース（Ｉ／Ｆ）３２と、コンテンツプロバイダ等のサイトを登録するための処理を実行するサイト登録部３４と、サイト登録部３６からの処理にしたがって、サイトに関する情報を記憶するサイト情報データベース（ＤＢ）３６と、レップサーバ２０からの広告および付随する情報を登録する広告登録部３８と、広告登録部３８の処理にしたがって必要なデータ（バナー広告データ）を記憶するバナーライブラリ４０と、携帯端末のユーザを登録するための処理を実行するユーザ登録部４２と、ユーザに関する種々のデータ（ユーザデータ）を記憶するユーザＤＢ４４と、携帯端末からのアクセスを受け付けて、必要な処理を実行するユーザ受付部４６と、ユーザ受付部４６からの指示にしたがって、バナーライブラリ４０から適切なバナー広告データを抽出するバナー抽出部４８と、携帯端末に送出すべきコンテンツのページに、抽出された広告バナーを貼り付けた合成ページを生成するページ合成部５０と、ページに貼り付けられたバナーの回数などに基づき、広告の表示回数を管理するバナー管理部５２とを有している。
【００１６】
このような構成の配信管理サーバ１４により（１）〜（４）の処理につき以下に説明する。
（１）サイトの登録
図３（ａ）は、サイト登録の処理の概略を示すフローチャート、図３（ｂ）は、サイト登録フォームの一例を示す図である。図３（ａ）に示すように、サイト２２と配信管理サーバ１４との間の回線が接続された後、サイト２２は、配信管理サーバ１４に対して、自己の登録依頼を送信する（ステップ３０１）。これを受理する（ステップ３１１）と、配信管理サーバ１４のサイト登録部３４は、必要な箇所が空欄となったサイト登録フォーム（図３（ｂ）参照）を、Ｉ／Ｆ３２を介して、サイト２２に宛ててインターネット１６上に送信する（ステップ３１２）。
【００１７】
サイト２２においては、登録フォームが受理され（ステップ３０２）、これに所定の情報が記入され、記入済みの登録フォームが配信管理サーバ１４に送信される（ステップ３０３）。記入済みの登録フォームを受理すると（ステップ３１３）、サイト登録部３４は、サイト管理のためのサイト番号を付与し、登録フォームに記入されていた情報を、サイト情報ＤＢ３６に、サイト番号と関連付けて記憶する。
【００１８】
これにより、後述するようにサイトのコンテンツに接続するように、携帯端末からのアクセスがあった場合に、図４に示すように、広告バナーを貼り付けるスペース（広告スペース）に、配信管理サーバへのリンク情報を埋め込むことが可能となる。
【００１９】
（２）広告および付随する情報の登録
図５は、広告登録の処理の概略を示すフローチャートである。図５に示すように、レップサーバ２０と配信管理サーバ１４との間の通信が確立された状態で、レップサーバ２０が、広告登録依頼を送信し（ステップ５０１）、配信管理サーバ１４がこれを受理すると（ステップ５１１）、配信管理サーバ１４の広告登録部３８が、必要な箇所が空欄となった広告登録フォームを、Ｉ／Ｆ３２を介して、レップサーバ２０に宛ててインターネット１６上に送信する(ステップ５１２)。
【００２０】
レップサーバ２０においては、受理した広告登録フォーム（ステップ５０２）に、所定の情報が記入され、かつ、記入済の広告登録フォームおよび広告バナーに対応する画像データ或いはテキストデータが、配信管理サーバ１４に送信される（ステップ５０３）。広告登録フォームにて記入すべき情報には、少なくとも企業名、および、ユーザ属性が含まれる。ユーザ属性は、ユーザの消費傾向を示すためのもので、たとえば、性別、年齢層、職業、地域などが含まれ得る。このほかユーザ属性には、趣味などが含まれても良い。また、記入すべき情報には、広告を配信すべき期間（配信期間）、広告バナーの表示回数を示すＰＶ（Page View）が含まれても良い。
【００２１】
広告登録部３８は、これらデータを受理すると（ステップ５１３）、広告登録フォームに記入された情報を解析して、配信すべきユーザの属性等を把握する（Ｓ５１４）。ユーザ属性、配信期間、露出ＰＶなど、および、画像データは、企業名と関連付けられて、バナーライブラリ４０に記憶される（ステップ５１５）。
【００２２】
（３）携帯端末のユーザの登録
図６は、本実施の形態にかかるユーザ登録処理を示すフローチャートである。
携帯端末１２と配信管理サーバ１４との間に、電話サービスサーバ１８を介した通信が確立された状態で、携帯端末１２から、配信管理サーバ１４に、ユーザ登録依頼が送信される（ステップ６０１）。配信管理サーバ１４がこれを受理すると、配信管理サーバ１４のユーザ登録部４２が、必要な箇所が空欄となったユーザ登録フォームを、Ｉ／Ｆ３２を介して、携帯端末１２に宛ててインターネット１６上に送出する（ステップ６１１）。
【００２３】
携帯端末１２のユーザが、キーなどを操作して、必要な情報を入力した後に、携帯端末１２から、電話サービスサーバ１８およびインターネットを介して、記入済のユーザ登録フォームが配信管理サーバ１４に伝達される（ステップ６０３、６１２）。なお、登録に必要な情報には、氏名のほか、ユーザ属性を示す種々の情報（たとえば、性別、年齢、職業、地域など）が含まれる。また、ユーザ属性には、趣味などが含まれていても良い。ここに、ユーザ属性を示す情報は、広告の登録時に記入されるものと対応しているのが望ましい。
【００２４】
記入されたユーザ登録フォームを受理すると（ステップ６１２）、ユーザ登録部４２は、フォームに記入された情報を解析して、ユーザの携帯端末を特定する情報（たとえば、電話番号）やユーザの属性などを把握するとともに、当該ユーザの固有ＵＲＬを付与する（ステップ６１３）。この固有ＵＲＬは、ユーザの電話番号やユーザ属性と関連付けられてユーザＤＢ４４に記憶される（ステップ６１４）。ここに、固有ＵＲＬは、ユーザの携帯端末に対して（つまりユーザに対して）一意的に与えられるＵＲＬである。すなわち、このＵＲＬアドレスが携帯端末から送信されることにより、ユーザを特定することが可能となる。
次いで、ユーザ登録部４２は、固有ＵＲＬを暗号化して、暗号化された固有ＵＲＬを、Ｉ／Ｆ３２を介して、ユーザの携帯端末１２に宛ててインターネット１６上に送信する（ステップ６１５）。ここでは、当該固有ＵＲＬを、ユーザの携帯端末におけるブラウザのデフォルトページとして登録を促すメッセージを同時に送信するのが望ましい。
【００２５】
携帯端末１２が固有ＵＲＬ、および、上記登録を促すメッセージを受理して（ステップ６０４）、ユーザが携帯端末１２のキーを操作して、当該ＵＲＬをブラウザ起動時のデフォルトページとして登録することにより、ユーザ登録が終了する（ステップ６０５）。
なお、ユーザ登録は、登録フォームを利用したものに限定されず、たとえば、ＣＴＩ（Computer telephony Integration）を利用して、電話音声によって登録できるようにしても良い。
【００２６】
図７は、ユーザ登録の手順を模式的に描いた図である。図７に示すように、Ａさん、Ｂさんから記入されたユーザ登録フォームがユーザ登録部４２に受理されると、それぞれに固有ＵＲＬが付与され（符号▲１▼、▲２▼参照）、かつ、ユーザ名やユーザ属性と関連付けられて固有ＵＲＬが、ユーザＤＢ４４中に記憶される（符号７０１参照）。また、ユーザに固有ＵＲＬの登録を促す画像が、それぞれのユーザの携帯端末１２の画面上に表示される（符号７０２、７０３参照）。
【００２７】
（４）携帯端末へのコンテンツのページ、および、広告バナーの配信
図８は、携帯端末１２と配信管理サーバ１４との間における通信および処理を示すフローチャートである。携帯端末１２においてブラウザが起動され（ステップ８０１）、固有ＵＲＬへの接続要求が、電話サービスサーバ１８およびインターネット１６を介して、配信管理サーバ１４に伝達されると、配信管理サーバ１４のユーザ受付部４６は、固有デフォルトページを作成して、ユーザの携帯端末１２に対して送信する（ステップ８１１）。
【００２８】
ユーザの携帯端末１２では、受理した固有デフォルトページが表示される（ステップ８０３）。図９（ａ）は、固有デフォルトページの一例を示す図である。図９（ａ）に示すように、デフォルトページには、サイトへのリンク（符号９０１〜９０３参照）が含まれる。たとえば、ユーザが携帯端末１２のキーを操作して、あるコンテンツ（サイト）を選択すると（ステップ８０４）、その情報、つまり、サイトへの接続要求が、ユーザ受付部４６により受理される（ステップ８１２）。
次いで、ユーザ受付部は、受理した固有ＵＲＬにしたがって、ユーザＤＢ４４を検索して、当該固有ＵＲＬを有するユーザに関する情報（たとえば、ユーザ属性）を特定する（ステップ８１３）。その後に、ユーザ受付部４６は、当該ユーザ属性をバナー抽出部４８に伝達する。
【００２９】
バナー抽出部４８は、バナーライブラリ４０を検索して、当該ユーザ属性に適合した広告バナーを抽出する。前述したように、バナーライブラリ４０においては、レップサーバ２０により登録されたユーザ属性、配信期間、露出ＰＶ、および、画像データまたはテキストデータが記憶されている。したがって、バナー抽出部４８は、ユーザ属性の一致度の高い広告バナーを選択し、この画像データまたはテキストデータを取得することができる（ステップ８１４）。なお、ここで、広告バナーが選択されると、バナー管理部５２は、当該抽出された広告バナーに関して、ＰＶを加算するなどの必要な処理を実行する。また、バナー管理部５２は、任意のときに、配信期間や露出ＰＶを調べて、期間が経過したものや予定の配信数を超えたものについては、ライブラリ４０からデータを削除しても良い。
【００３０】
また、ステップ８１４に引き続き、或いは、これと同時に、ユーザ受付部４６は、ユーザにより指定されたサイトに接続要求を送信し（ステップ８１５）、これに応答して送信されたコンテンツを受理する（ステップ８１６）。ステップ７１６にて受理したコンテンツの形態を図９（ｂ）に示す。このように、コンテンツのページには、所定の位置に広告枠９１１が設けられ、ここに、バナー抽出部４８にて取り出された広告バナーの画像データまたはテキストデータが貼り付けられるようになっている。
【００３１】
ページ合成部５０は、ユーザ受付部４６がステップ８１６にて受理したコンテンツのページに、バナー抽出部４８がステップ８１４にて取得した画像データを貼り付けて、コンテンツを完成させる（ステップ８１７）。このようにして作られたコンテンツのページは、Ｉ／Ｆ３２を介して、携帯端末１２に向けてインターネット１６上に送信される（ステップ８１８）。携帯端末１２においては、ページのデータが受理されて、これが表示装置の画面上に表示される（ステップ８０５）。ここで、表示装置の画面上に表示されたコンテンツのページの広告枠には、ユーザ属性にしたがって選択された広告バナーが貼り付けられる。たとえば、図９（ｃ）に示すように、前述したＡさんには、たとえば、車の広告が貼り付けられ、その一方、図９（ｄ）に示すように、大学生のＢさんには、たとえば、求人広告が貼り付けられる。
【００３２】
図１０は、コンテンツ配信の手順を模式的に描いた図である。前述したＡさんおよびＢさんが、配信管理サーバ１４に対して、固有ＵＲＬ（符号▲１▼、▲２▼参照）にてアクセスすると、デフォルトページが携帯端末の表示装置の画面上に表示される（符号１００１、１００２参照）。ここで、双方のデフォルトページは、一見すると同一であるが、そのＵＲＬが異なる（双方の固有ＵＲＬである）ことに留意すべきである。したがって、あるサイト（ＡＡＡ．ｃｏｍ）を指定した場合でも、そのＵＲＬは互いの異なる（符号▲３▼、▲４▼参照）。たとえば、Ａさんのコンテンツのページでは、Ａさんの属性に合致した広告（たとえば、車の広告）の広告バナーが貼り付けられ（符号１００３参照）、その一方、大学生のＢさんのコンテンツのページでは、Ｂさんの属性に合致した広告（たとえば、求人広告）の広告バナーが貼り付けられ、適切な広告バナーが貼り付けられたコンテンツのページをそれぞれの携帯端末に送信することができる。
【００３３】
ユーザが、あるサイト（たとえば、ＡＡＡ．ｃｏｍ）のリンクを選択し、あるサイト内の次のページを要求した際にも、配信管理サーバによる接続要求受信（ステップ８１２）以降の処理が繰り返される。
このように、本実施の形態によれば、ユーザにその属性を含む情報とともに配信管理サーバ１４に登録させる際に、当該ユーザの携帯端末に固有のＵＲＬを付与する。したがって、配信管理サーバ１４へのアクセス時に、このＵＲＬによりユーザおよびその属性を特定することができ、当該属性に合致した広告バナーを選択し、これをユーザがアクセス要求したコンテンツのページに貼り付けて配信することが可能となる。
【００３４】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記実施の形態においては、携帯端末が配信管理サーバ１４にアクセスすると、ブラウザにデフォルトページが表示され、このデフォルトページ中のメニューから所定のサイトを選択されているように構成されている。しかしながら、これに限定されるものではなく、ユーザが、直接サイトにアクセスする場合にも、本発明を適用することができる。
【００３５】
より詳細には、まず、登録時に、配信管理サーバ１４が携帯端末１２に固有ＵＲＬを送信する際（図６のステップ６１５参照）に、登録されたサイトが列挙されたメニューを送信する。携帯端末１２においては、そのうち所望のものを選択して、これを起動時にアクセスするように設定すればよい。
ここで、ユーザの携帯端末に与えられた固有ＵＲＬが、「ｗｗｗ．ＭＯＢＡＤ．ｃｏｍ／ａｂｃｄｅｆ．ｈｔｍｌ」で、かつ、ユーザが選択したサイトのもともとのＵＲＬが、「ＢＢＢ．ｃｏｍ」だとする。ユーザの側では、あたかも「ＢＢＢ．ｃｏｍ」が登録されたように見えるが、実際に、ブラウザに設定されたＵＲＬは、「ｗｗｗ．ＭＯＢＡＤ．ｃｏｍ／ＢＢＢａｂｃｄｅｆ．ｈｔｍｌ」のように、配信管理サーバ１４を介在させた形となる。
【００３６】
或いは、ＵＲＬ「ｗｗｗ．ｃｏｍ」を有するサイト自体が、ユ−ザ登録ページを備えていても良い。この場合にも、ＵＲＬは、「ｗｗｗ．ＭＯＢＡＤ．ｃｏｍ」ではなく、「ｗｗｗ．ＭＯＢＡＤ．ｃｏｍ／ＢＢＢａｂｃｄｅｆ．ｈｔｍｌ」となる。
【００３７】
また、本実施の形態においては、配信管理サーバ１４とレップサーバ２０とを別体としているがこれに限定されるものではない。
なお、本明細書において、一つの手段の機能が、二つ以上の物理的手段により実現されても、若しくは、二つ以上の手段の機能が、一つの物理的手段により実現されてもよい。
【００３８】
【発明の効果】
本発明によれば、携帯端末によるアクセスの際に、ユーザの嗜好に合致した広告を配信するための手法を提供することが可能となる。
【図面の簡単な説明】
【図１】  図１は、本発明の実施の形態にかかる広告配信システムの概略構成を示すブロックダイヤグラムである。
【図２】  図２は、本実施の形態にかかる配信管理サーバ１４の構成を示すブロックダイヤグラムである。
【図３】  図３（ａ）は、本実施の形態にかかるサイト登録の処理の概略を示すフローチャート、図３（ｂ）は、サイト登録フォームの一例を示す図である。
【図４】  図４は、コンテンツにおいて広告スペースに、配信管理サーバへのリンク情報を埋め込まれた状態を示す図である。
【図５】  図５は、本実施の形態にかかる広告登録の処理の概略を示すフローチャートである。
【図６】  図６は、本実施の形態にかかるユーザ登録処理を示すフローチャートである。
【図７】  図７は、本実施の形態にかかるユーザ登録の手順を模式的に描いた図である。
【図８】  図８は、本実施の形態において、携帯端末と配信管理サーバとの間における通信および処理を示すフローチャートである。
【図９】  図９は、本実施の形態にかかる携帯端末の表示装置の画面上に表示された画像例を示す図である。
【図１０】    図１０は、本実施の形態にかかるコンテンツ配信の手順を模式的に描いた図である。
【符号の説明】
１２        携帯端末
１４        配信管理サーバ
３２        インタフェース
３４        サイト登録部
３６        サイト情報ＤＢ
３８        広告登録部
４０        バナーライブラリ
４２        ユーザ登録部
４４        ユーザＤＢ
４６        ユーザ受付部
４８        バナー抽出部
【図１】
0004522543.tif 000002
【図２】
0004522543.tif 000003
【図３】
0004522543.tif 000004
【図４】
0004522543.tif 000005
【図５】
0004522543.tif 000006
【図６】
0004522543.tif 000007
【図７】
0004522543.tif 000008
【図８】
0004522543.tif 000009
【図９】
0004522543.tif 000010
【図１０】
0004522543.tif 000011